(57)【特許請求の範囲】
【請求項１】
無線ネットワーク制御局と複数の割り当てられた端末とを有するワイヤレス・ネットワークであって、
前記無線ネットワーク制御局及び前記端末のそれぞれは、論理チャネルのプロトコル・データ・ユニットによって形成されたトランスポート・ブロックを、少なくとも１つの無線フレームを含む送信時間インターバルが割り当てられ、その送信時間インターバルの先頭と無線フレームの先頭とが対応するときにアクティブであるトランスポート・チャネルを通じて送信し、
各無線フレームの先頭において、最高の優先度に従って無線リンク制御レイヤ（以下、ＲＬＣレイヤと呼ぶ）と媒体アクセス制御レイヤ（以下、ＭＡＣレイヤと呼ぶ）との間でアクティブな論理チャネルを並び替え、
前記無線ネットワーク制御局及び前記端末は、既存の論理チャネルのそれぞれについて、最高の優先度を有する論理チャネルで始まり、少なくともＭ＋Ｎ個のトランスポート・ブロックを送信できる全てのトランスポート形式の組み合わせを連続して選択し、Ｍは、関連するトランスポート・チャネル上にマッピングされた更に高い優先度の論理チャネルの既に割り当てられたトランスポート・ブロックの数であり、Ｎは、それぞれ考慮された論理チャネルの有効プロトコル・データ・ユニットの最大数であり、前記プロトコル・データ・ユニットは、未使用のままになっている関連するトランスポート・チャネルのトランスポート・ブロックのない関連するトランスポート・チャネルに割り当て可能であり、トランスポート形式の組み合わせは、各トランスポート・チャネルで送信されるトランスポート・ブロックを示し、
削減された数のトランスポート形式の組み合わせから、最も少ない数のトランスポート・ブロックを含むトランスポート形式の組み合わせを選択する一方で、前の無線フレームで生じたアクティブでないトランスポート・チャネルの割り当てに変更がもたらされない、ことを特徴とするワイヤレス・ネットワーク。
【請求項２】
請求項１記載のワイヤレス・ネットワークであって、
異なる優先度を有する論理チャネルがちょうど１つのトランスポート・チャネル上にマッピングされ、前記無線ネットワーク制御局又は端末は、該論理チャネルの優先度順に、複数のトランスポート形式の組み合わせの選択を行う、ことを特徴とするワイヤレス・ネットワーク。
【請求項３】
請求項２記載のワイヤレス・ネットワークであって、
前記無線ネットワーク制御局又は端末は、前記論理チャネルの優先度に従って、送信開始時に該論理チャネルの並び替えを実行し、該論理チャネルの優先度が等しいものに対しては、基礎として用いられる送信時間インターバルの長さに従って並び替え、該送信時間インターバルの持続時間は１つの無線フレームに少なくとも対応し、各無線フレームの先頭において、該送信時間インターバルの持続時間を考慮せずに、該論理チャネルのバッファにおいて待機中のブロック数に従って並び替えを行う、ことを特徴とするワイヤレス・ネットワーク。
【請求項４】
請求項１記載のワイヤレス・ネットワークであって、
無線ネットワーク制御局又は端末のＭＡＣ（Ｍｅｄｉｕｍ  Ａｃｃｅｓｓ  Ｃｏｎｔｒｏｌ；媒体アクセス制御）レイヤがトランスポート形式の組み合わせを選択する、ことを特徴とするワイヤレス・ネットワーク。
【請求項５】
請求項４記載のワイヤレス・ネットワークであって、
前記無線ネットワーク制御局又は端末のＲＬＣ（Ｒａｄｉｏ  Ｌｉｎｋ  Ｃｏｎｔｒｏｌ；無線リンク制御）レイヤが送信用に提供されるプロトコル・データ・ユニットを記録し、前記ＭＡＣレイヤが論理チャネルを通じて伝送されるプロトコル・データ・ユニットからトランスポート・ブロックを形成する、ことを特徴とするワイヤレス・ネットワーク。
【請求項６】
複数の割り当てられた端末を有するワイヤレス・ネットワークの無線ネットワーク制御局であって、
論理チャネルのプロトコル・データ・ユニットによって形成されたトランスポート・ブロックを、少なくとも１つの無線フレームを含む送信時間インターバルが割り当てられ、その送信時間インターバルの先頭と無線フレームの先頭とが対応するときにアクティブであるトランスポート・チャネルを通じて送信し、
媒体アクセス制御レイヤ（以下、ＭＡＣレイヤと呼ぶ）は、各無線フレームの先頭において、最高の優先度に従って無線リンク制御レイヤ（以下、ＲＬＣレイヤと呼ぶ）と該ＭＡＣレイヤとの間でアクティブな論理チャネルを並び替え、
前記無線ネットワーク制御局は、論理チャネルのそれぞれについて、最高の優先度を有する論理チャネルで始まり、所定数のトランスポート形式の組み合わせから、少なくともＭ＋Ｎ個のトランスポート・ブロックを送信できるトランスポート形式の組み合わせを連続して選択し、Ｍは、関連するトランスポート・チャネル上にマッピングされた更に高い優先度の論理チャネルの既に割り当てられたトランスポート・ブロックの数であり、Ｎは、それぞれ考慮された論理チャネルの有効プロトコル・データ・ユニットの最大数であり、前記プロトコル・データ・ユニットは、未使用のままになっている関連するトランスポート・チャネルのトランスポート・ブロックのない関連するトランスポート・チャネルに割り当て可能であり、トランスポート形式の組み合わせは、各トランスポート・チャネルで送信されるトランスポート・ブロックを示し、
前記無線ネットワーク制御局は、削減された数のトランスポート形式の組み合わせから、最も少ない数のトランスポート・ブロックを含むトランスポート形式の組み合わせを選択する一方で、前の無線フレームで生じたアクティブでないトランスポート・チャネルの割り当てに変更がもたらされない、ことを特徴とする無線ネットワーク制御局。
【請求項７】
無線ネットワーク制御局を有するワイヤレス・ネットワークの端末であって、
論理チャネルのプロトコル・データ・ユニットによって形成されたトランスポート・ブロックを、少なくとも１つの無線フレームを含む送信時間インターバルが割り当てられ、その送信時間インターバルの先頭と無線フレームの先頭とが対応するときにアクティブであるトランスポート・チャネルを通じて送信し、
媒体アクセス制御レイヤ（以下、ＭＡＣレイヤと呼ぶ）は、各無線フレームの先頭において、最高の優先度に従って無線リンク制御レイヤ（以下、ＲＬＣレイヤと呼ぶ）と該ＭＡＣレイヤとの間でアクティブな論理チャネルを並び替え、
前記端末は、論理チャネルのそれぞれについて、最高の優先度を有する論理チャネルで始まり、所定数のトランスポート形式の組み合わせから、少なくともＭ＋Ｎ個のトランスポート・ブロックを送信できるトランスポート形式の組み合わせを連続して選択し、Ｍは、関連するトランスポート・チャネル上にマッピングされた更に高い優先度の論理チャネルの既に割り当てられたトランスポート・ブロックの数であり、Ｎは、それぞれ考慮された論理チャネルの有効プロトコル・データ・ユニットの最大数であり、前記プロトコル・データ・ユニットは、未使用のままになっている関連するトランスポート・チャネルのトランスポート・ブロックのない関連するトランスポート・チャネルに割り当て可能であり、トランスポート形式の組み合わせは、各トランスポート・チャネルで送信されるトランスポート・ブロックを示し、
前記端末は、削減された数のトランスポート形式の組み合わせから、最も少ない数のトランスポート・ブロックを含むトランスポート形式の組み合わせを選択する一方で、前の無線フレームで生じたアクティブでないトランスポート・チャネルの割り当てに変更がもたらされない、ことを特徴とする端末。
【発明の詳細な説明】
【０００１】
【発明の属する技術分野】
本発明は、無線ネットワーク制御局と、それぞれちょうど１つのトランスポート・チャネルにマッピングされる異なる論理チャネルを通じて、有益データを送信する割り当てられた複数の端末と、を有するワイヤレス・ネットワークに関する。
【０００２】
【従来の技術】
３ｒｄ  Ｇｅｎｅｒａｔｉｏｎ  Ｐａｒｔｎｅｒｓｈｉｐ  Ｐｒｏｊｅｃｔ（３ＧＰＰ）；Ｔｅｃｈｎｉｃａｌ  Ｓｐｅｃｉｆｉｃａｔｉｏｎ  Ｇｒｏｕｐ（ＴＳＧ）  ＲＡＮ：Ｗｏｒｋｉｎｇ  Ｇｒｏｕｐ  ２（ＷＧ２）；Ｒａｄｉｏ  Ｉｎｔｅｒｆａｃｅ  Ｐｒｏｔｏｃｏｌ  Ａｒｃｈｉｔｅｃｔｕｒｅ：ＴＳ  ２５．３０２  Ｖ．３．６．０から、ＭＡＣ（Ｍｅｄｉｕｍ  Ａｃｃｅｓｓ  Ｃｏｎｔｒｏｌ；媒体アクセス制御）レイヤの機能を説明するワイヤレス・ネットワークが知られている。ＲＬＣ（Ｒａｄｉｏ  Ｌｉｎｋ  Ｃｏｎｔｒｏｌ；無線リンク制御）レイヤにおいて形成されたパケット・データ・ユニットは、ＭＡＣレイヤによってトランスポートブロック内へパッキングされ、このトランスポートブロックは物理レイヤによって、無線ネットワーク制御局から端末へ又は端末から無線ネットワーク制御局へ、物理チャネルを通じて送信される。このような多重化若しくは逆多重化機能以外に、ＭＡＣレイヤは、適切なトランスポート形式の組み合わせ（ＴＦＣ）を選択する機能を有する。トランスポート形式の組み合わせは、各トランスポートチャネルに対するトランスポート形式の組み合わせを表す。このトランスポート形式の組み合わせは、特に、物理レイヤにおけるトランスポートチャネルがいかに物理チャネル内へ多重化されるかを示す。
【０００３】
【発明が解決しようとする課題】
本発明の目的は、トランスポート・ブロックの送信を決定する適切なトランスポート形式の組み合わせを見つけるための選択工程を示すワイヤレス・ネットワークを提供することである。
【０００４】
【課題を解決するための手段】
本発明によれば、上記目的は、無線ネットワーク制御局と複数の割り当てられた端末とを有するワイヤレス・ネットワークであって、前記無線ネットワーク制御局及び前記端末は、
それぞれが、論理チャネルのパケット・データ・ユニットによって形成されたトランスポート・ブロックを、少なくとも一無線フレームを含む送信時間インターバルに割り当てられ、その送信時間インターバル及び対応する無線フレームの先頭において稼動中であるトランスポート・チャネルを通じて送信し、
各トランスポート・チャネルを通じて送信されるトランスポート・ブロックを示すトランスポート形式の組み合わせを少なくとも形成し、
各論理チャネルに、継続的に、有効パケット・データ・ユニットの最大数若しくはそれを超える数が送信されることを許可する複数のトランスポート形式を選択させると共に、記録されたパケット・データ・ユニットを同じトランスポート・チャネル上にマッピングされた考慮済の論理チャネルとして考慮させ、
削減されたトランスポート形式の組み合わせの数から、既に割り当てられた非稼動状態のトランスポート・チャネルを考慮した際に、最も少ないトランスポート・ブロック数を含むトランスポート形式の組み合わせを選択する、ワイヤレス・ネットワークによって実現される。
【０００５】
本発明は、様々なトランスポート・チャネルに対して設けられたトランスポート・ブロックの送信に適した再帰手順におけるトランスポート形式の組み合わせが最初に選択される、適切なトランスポート形式の組み合わせを見つける選択処理を提案する。ここでは、記録されたパケット・データ・ユニットを同じトランスポート・チャネル上にマッピングされた考慮済の論理チャネルとして考慮しつつ、最大数若しくはそれ以上の有効なパケット・データ・ユニットの送信を許可するトランスポート形式の組み合わせが選択されることが基準である。次いで、第二の基準は、第一の基準によって削減された数から最も少ないトランスポート・ブロック総数の送信を可能にするトランスポート形式の組み合わせを選択することである。次いで、非稼動状態のトランスポート・チャネルに対して割当を与えることができないように考慮される。この場合、既に予め選択されたトランスポート・ブロック数は選択されなければならない。
【０００６】
異なる優先度を有する論理チャネルは、ちょうど１つのトランスポート・チャネル上にマッピングされる。無線ネットワーク制御局若しくは一端末は、該論理チャネルの優先度の順に、複数のトランスポート形式の組み合わせから選択を実行する。無線ネットワーク制御局若しくは一端末は、論理チャネルの優先度に従って、送信開始時に論理チャネルを並び替える。同じ優先度を有する論理チャネルが存在する場合、潜在的な送信時間インターバルの長さに応じて並び替えられる。各無線フレームの先頭において、送信時間インターバルの持続時間を考慮せずに、論理チャネルのバッファにおいて待機中のブロック数に応じて並び替えが実行される。
【０００７】
無線ネットワーク制御局若しくは一端末のＭＡＣレイヤ（Ｍｅｄｉｕｍ  Ａｃｃｅｓｓ  Ｃｏｎｔｒｏｌ；媒体アクセス制御）は、トランスポート形式の組み合わせを選択し、無線ネットワーク制御局若しくは一端末のＲＬＣ（ＲａｄｉｏＬｉｎｋ  Ｃｏｎｔｒｏｌ；無線リンク制御）レイヤは、送信パケット・データ・ユニットを記録する。次いで、ＭＡＣレイヤは、論理チャネルを通じて伝送されたパケット・データ・ユニットからトランスポート・ブロックを形成する。
【０００８】
本発明は、更に、上記ワイヤレス・ネットワークの無線ネットワーク制御局及び端末にも関する。
【０００９】
【発明の実施の形態】
本発明のこれら及び他の態様は、以下の実施形態を参照して明らかにされる。
【００１０】
図１は、例えば、無線ネットワーク制御局（ＲＮＣ）１と、複数の端末２〜９とを有する無線ネットワークを示す。無線ネットワーク制御局１は、無線トラフィックに参加するすべての要素（例えば、端末２〜９）の制御を担う。制御データ及び有益データの交換は、少なくとも、無線ネットワーク制御局１と端末２〜９との間で起こる。
【００１１】
原則として、端末２〜９は移動局であり、無線ネットワーク制御局１は固定的に導入される。しかし、無線ネットワーク制御局１は、場合によっては、移動可能なものでもよく、移動式なものでもよい。
【００１２】
このワイヤレス・ネットワークにおいて、無線信号は、例えばＦＤＭＡ、ＴＤＭＡ、若しくはＣＤＭＡ方式（ＦＤＭＡ＝周波数分割多重接続、ＴＤＭＡ＝時分割多重接続、ＣＤＭＡ＝符号分割多重接続）、又は、これら方式の組み合わせに従って送信される。
【００１３】
特殊な符号拡散方式であるＣＤＭＡ方式によれば、ユーザから発せられたバイナリ情報（データ信号）は、毎回異なるコード・シーケンスで変調される。このようなコード・シーケンスは、擬似ランダム方形波信号（ＰＮコード）を含む。ＰＮコードのレートは、チップレートと呼ばれ、通常はバイナリ情報のレートよりもはるかに高い。擬似ランダム方形波信号の方形波パルスの持続時間は、チップインターバルＴＣと呼ばれる。１／ＴＣがチップレートである。擬似ランダム方形波信号によるデータ信号の個別の操作若しくは変調によって、拡散係数ＮＣ＝Ｔ／ＴＣでスペクトラムを拡散することができる。ここで、Ｔはそのデータ信号の方形波パルスの持続時間である。
【００１４】
有益データ及び制御データは、無線ネットワーク制御局１によって予め規定されたチャネルを通じて、少なくとも１つの端末（２〜９）と無線ネットワーク制御局１との間で送信される。チャネルは、周波数レンジ、タイム・レンジ、例えばＣＤＭＡ方式では拡散コード、などによって決定される。無線ネットワーク制御局１から端末２〜９への無線リンクは、ダウンリンクと呼ばれ、端末から基地局への無線リンクは、アップリンクと呼ばれる。このように、基地局から端末へのデータはダウンリンク・チャネルを通じて送信され、端末から基地局へのデータはアップリンク・チャネルを通じて送信される。
【００１５】
例えば、コネクション確立前に、無線ネットワーク制御局１からの制御データを全端末２〜９へブロードキャストするのに用いられるダウンリンク制御チャネルが設けられてもよい。このようなチャネルは、ダウンリンク報知制御チャネルと呼ばれる。コネクション確立前に、端末２〜９から無線ネットワーク制御局１へ制御データを送信するために、例えば、無線ネットワーク制御局１によって割り当てられたアップリンク制御チャネルが、他の端末２〜９によってもアクセスされ得るように用いられ得る。複数の若しくはすべての端末２〜９によって用いられ得るアップリンク・チャネルは、共通アップリンク・チャネルと呼ばれる。例えば端末２〜９と無線ネットワーク制御局１との間でコネクションが確立された後、有益データはダウンリンク及びアップリンク・ユーザ・チャネルを通じて、送信される。一送信器と一受信器との間のみにセットアップされたチャネルは専用チャネルと呼ばれる。原則として、ユーザ・チャネルは、専用チャネルであり、この専用チャネルは、リンク固有の制御データを送信するための専用制御チャネルを伴うことが可能である。
【００１６】
無線ネットワーク制御局１と端末との間で有益データを交換するためには、端末２〜９が無線ネットワーク制御局１と同期されていることが必要である。例えば、ＦＤＭＡ及びＴＤＭＡ方式の組み合わせが用いられるＧＳＭシステム（ＧＳＭ＝Ｇｌｏｂａｌ  Ｓｙｓｔｅｍ  ｆｏｒ  Ｍｏｂｉｌｅ  ｃｏｍｍｕｎｉｃａｔｉｏｎｓ）から、所定のパラメータに基づいて適切な周波数レンジが決定された後、フレームの時間位置が決定される（フレーム同期）ことが知られている。フレーム同期は、データの送信時間の順序を決定するのに役立つ。このようなフレームは、ＴＤＭＡ、ＦＤＭＡ、及びＣＤＭＡ方式の場合、端末及び基地局のデータ同期のために常に必要である。このようなフレームは、複数のサブフレームを含んでもよく、複数の他の連続フレームと共にハイパーフレームを構成してもよい。
【００１７】
無線ネットワーク制御局１と端末２〜９との間の、無線インターフェースと経由した制御データ及び有益データの交換は、図２に例示として示すレイヤ・モデル若しくはプロトコル構造を参照して説明することができる（「３ｒｄ  Ｇｅｎｅｒａｔｉｏｎ  Ｐａｒｔｎｅｒｓｈｉｐ  Ｐｒｏｊｅｃｔ（３ＧＰＰ）；Ｔｅｃｈｎｉｃａｌ  Ｓｐｅｃｉｆｉｃａｔｉｏｎ  Ｇｒｏｕｐ（ＴＳＧ）  ＲＡＮ：Ｗｏｒｋｉｎｇ  Ｇｒｏｕｐ  ２（ＷＧ２）；Ｒａｄｉｏ  Ｉｎｔｅｒｆａｃｅ  Ｐｒｏｔｏｃｏｌ  Ａｒｃｈｉｔｅｃｔｕｒｅ：ＴＳ  ２５．３０１  Ｖ．３．６．０」と比較せよ）。このレイヤ・モデルは、３つのプロトコル・レイヤ：物理レイヤＰＨＹ、サブレイヤＭＡＣ及びＲＬＣを有するデータリンク・レイヤ（図２では、サブレイヤＲＬＣの様々な形状が示されている）、及び、ＲＲＣレイヤ、を有する。サブレイヤＭＡＣは、媒体アクセス制御のために備えられ、サブレイヤＲＬＣは無線リンク制御のために備えられ、レイヤＲＲＣは無線リソース制御のために備えられる。レイヤＲＲＣは、端末２〜９と無線ネットワーク制御局１との間での信号送受信を担う。サブレイヤＲＬＣは、端末２〜９と無線ネットワーク制御局１との間の無線リンクを制御するのに用いられる。ＲＲＣは、制御リンク１０及び１１を通じて、レイヤＭＡＣ及びＰＨＹを制御する。これにより、レイヤＲＲＣはレイヤＭＡＣ及びＰＨＹの構成を制御し得る。物理レイヤＰＨＹは、ＭＡＣレイヤへのトランスポート・リンク１２を提供する。ＭＡＣレイヤは、レイヤＲＬＣに対して、論理コネクション１３を使用可能にする。ＲＬＣレイヤは、アクセス・ポイント１４を通じて、アプリケーションによってアクセスされ得る。
【００１８】
パケット・データ・ユニットは、ＲＬＣレイヤにおいて形成され、ＭＡＣレイヤにおいてトランスポート・ブロックはパッキングされる。このトランスポート・ブロックは、物理レイヤによって、無線ネットワーク制御局から端末へ、又は、端末から無線ネットワーク制御局へ、物理チャネルを通じて送信される。このような多重化若しくは逆多重化機能それぞれに加えて、ＭＡＣレイヤは、適切なトランスポート形式の組み合わせ（ＴＦＣ）を選択する機能を有する。トランスポート形式の組み合わせは、各トランスポート・チャネルについてのトランスポート形式の組み合わせを表す。このトランスポート形式の組み合わせは、特に、トランスポート・チャネルが物理チャネルにおいていかに物理チャネル内へ多重化されるかについて示す。
【００１９】
各トランスポート形式は、動的及び半静的部分を有する。動的部分は、送信時間インターバル（ＴＴＩ）中にトランスポート・チャネルにおいて送信されるトランスポート・ブロック群（ＴＢＳ）を示し、半静的部分は、例えば誤り訂正コードの種類に関する情報を含む。この半静的部分は、物理チャネルの再認識によってのみ、変化する。トランスポート・ブロック群は、物理レイヤとＭＡＣレイヤとの間で交換されるトランスポート・ブロック群として定義される。トランスポート・ブロックのサイズは、ＲＬＣレイヤのパケット・データ・ユニットのビット数と、ＭＡＣレイヤの付加制御情報（ヘッダ）のビット数とによって決定される。
【００２０】
トランスポート形式の動的部分のみが以下で述べるところのトランスポート形式であることは明らかである。
【００２１】
送信時間インターバルは無線フレーム（ＲＦ）数に対応し、少なくとも一無線フレーム分である。これは、インターリーブ実行中の無線フレーム数を示す。インターリーブは、連続無線フレームからの情報ユニット（シンボル）の送信側時間依存ネスティングである。ＭＡＣレイヤは、各送信時間インターバル中に、トランスポート・ブロック群を物理レイヤへ転送する。この送信時間インターバルは、トランスポート・チャネル毎に固有であり、トランスポート形式の半静的部分に属する。物理レイヤが送信時間インターバルの冒頭において、ｎ個の無線フレームを含むトランスポート・ブロック群をＭＡＣレイヤから受信すると、このトランスポート・ブロック群は、トランスポート・チャネルを通じて送信されることが意図され、このトランスポート・ブロック群の各ブロックは、ｎ個のセグメントに分割される（トランスポート・ブロックのセグメント化）。各トランスポート・ブロックのｎ個のセグメントは、送信時間インターバルのｎ個の連続した無線フレームにおいて送信される。送信時間インターバルのｎ個の無線フレームは、すべて同じセグメント順を有する。
【００２２】
ＭＡＣレイヤは、各トランスポート・チャネルに対する適切なトランスポート形式を選択するのに用いられる。この選択を用いて、ＭＡＣ優先度（ＭＡＣ論理優先度：ＭＬＰ）、ＲＬＣレイヤにおけるバッファ占有度（ＢＯ）、及び、トランスポート形式の組み合わせと同様に論理チャネルに割り当てられたトランスポート・チャネルの送信時間インターバル（ＴＴＩ）と呼ばれるＲＬＣ及びＭＡＣレイヤ間の論理チャネルの優先度が考慮される。ＲＬＣレイヤにおけるバッファ占有度は、ＲＬＣレイヤからＭＡＣレイヤを通じて物理レイヤへ送信されるパケット・データ・ユニットを含む。トランスポート形式の組み合わせのサブセットは、トランスポート形式の組み合わせの考えられる全セットの一部である。セブセットは考えられるトランスポート形式の組み合わせの数を制限するのに用いられる。なぜなら、いずれのトランスポート形式の組み合わせが送信に用いられたかを受信側に示すビット数が制限されるからである。
【００２３】
トランスポート・チャネル（若しくはその上にマッピングされた論理チャネル）は、無線フレームの先頭がトランスポート・チャネルの送信時間インターバルの先頭に対応していない場合、無線フレーム内で非稼動状態を示す。それ以外の場合は、稼動状態と呼ばれる。無線フレーム長に応じた、例えば１０ｍｓである、最短の送信時間インターバルを用いると、割り当てられたトランスポート・チャネルは決して非稼動状態とならない。なぜなら、トランスポート・ブロックはそのデータを送信するために少なくともこの最短送信時間インターバル掛かるからである。より長い送信時間インターバル（例えば、２０ｍｓ）を用いると、トランスポート・チャネルは、この意味で非稼動状態となり得る。
【００２４】
ＭＡＣレイヤにおいて、各無線フレームに対して稼動中の論理チャネルを前述の基準に従って並び替える手順が、各無線フレームの先頭において実行される。
１．  まず、ＭＡＣ優先度の高い順に並び替える。
２．  ＭＡＣ優先度が同じ場合、最も多くのパケット・データ・ユニットを有するバッファが並び替えられたリストの先頭に見えている間、バッファ占有度に応じて並び替える。
３．  バッファ占有度及びＭＡＣ優先度が同じ場合、送信時間インターバルの長い順に並び替える。
【００２５】
この手順によって、送信データを有する論理チャネルを用いて、上記基準に応じて並び替えたリストが確立されると、このリストの先頭から、割り当てられたトランスポート・チャネルの送信時間インターバルに対する最高ＭＡＣ優先度を用いて、適切なトランスポート形式を見つけるためのテストが為される。終了時点で選択されたトランスポート形式の組み合わせが予め規定された送信電力を用いて得ることができるトータルのデータレート（データレート状態と呼ばれる）を超えない合計データレートをもたらすことに注意。
【００２６】
このトランスポート・チャネル、及び、よってそのトランスポート・チャネル上にマッピングされた全論理チャネルが一無線フレームにおいて非稼動状態な場合、このトランスポート・チャネルに対するトランスポート形式は前の無線フレームに対して選択されたトランスポート形式の組み合わせを用いることができる。それ以外の場合、現論理チャネル（ＬＣ＿Ｘ）が稼動状態のトランスポート・チャネル（ＴＣ＿Ｙ）上にマッピングされると、ＭＡＣレイヤは、該トランスポート・チャネルＴＣ＿Ｙが該論理チャネル（ＬＣ＿Ｘ）のバッファにおける送信パケット・データ・ユニットに対するトランスポート形式群に応じたＲＬＣレシーバを提供することができるように、最良のトランスポート形式を決定する（但し、すべてのパケット・データ・ユニットが、より高い優先度を有する論理チャネルの照会中に既にトランスポート・チャネルに割り当てられ、この割り当てられたトランスポート・チャネルＴＣ＿Ｙ上にマッピングされているものとする）。この最良のトランスポート形式は、割り当てられたトランスポート・チャネルＴＣ＿Ｙ上の実際の有益データの最大ビット数を送信し得るトランスポート形式である。
【００２７】
原則として、複数の論理チャネルがその上にマッピングされた複数のトランスポート・チャネルが存在するために、トランスポート形式の組み合わせが発見されなければならない。論理チャネルを通じた再帰手順において、考えられるトランスポート形式の組み合わせ群が連続的に減っていく。最も高い優先度を有する論理チャネルが照会された場合、データレート若しくは組み合わせられたトランスポート・チャネル又はそのサブセットが上記条件を満たすすべてのトランスポート形式の組み合わせ群が開始点となる。選択されたトランスポート形式に従って送信され得る論理チャネルのトランスポート・ブロックは、ここでは送信割当と呼ばれる。
【００２８】
より低い優先度を有し、このように大幅に削減された考えられるすべてのトランスポート形式の組み合わせにおいてトランスポート・チャネルＴＣ＿Ｚ上にマッピングされた論理チャネルＬＣ＿Ｚのすべての照会を用いて、少なくともＭ＋Ｎ個のトランスポート・ブロックを送信させるトランスポート・チャネルＴＣ＿Ｚに対するトランスポート形式を含むトランスポート形式の組み合わせが選択される。Ｍはより高い優先度を有し、既にトランスポート・チャネルＴＣ＿Ｚ上にマッピングされた（既に割り当てられた）トランスポート・ブロックの数である。Ｎは、トランスポート・チャネルＬＣ＿Ｚ用のトランスポート形式に従った論値チャネルＬＣ＿Ｚによる送信のために割り当てられ得るトランスポート・ブロックの考えられる最大数、及び、論理チャネルＬＣ＿Ｚのバッファにおいて待機中のパケット・データ・ユニット数を示す。ここでは、ヘッダの完成を通じて、パケット・データ・ユニットをトランスポート・ブロック内へ待機させる。例えば、３つのパケット・データ・ユニットが論理チャネルＬＣ＿Ｚにおいて待機中であり、トランスポート・チャネルＴＣ＿Ｚ用のトランスポート形式群は２及び４形式しか有しない場合、Ｎ＝２である。
【００２９】
以下の例は、最適なトランスポート形式を決定するのに、何故「ちょうどＭ＋Ｎ個のトランスポート・ブロック」ではなく、「少なくともＭ＋Ｎ個のトランスポート・ブロック」という条件が必要なのかを説明する。
【００３０】
所定のチャネル構成内でのトランスポート・ブロックのサイズが固定されているため、トランスポート形式の組み合わせはトランスポート・チャネル毎に許容されるトランスポート・ブロックの数によってのみ示される。このトランスポート形式の組み合わせ（４、２、１）は、例えば（それぞれが１つのトランスポート・チャネルに対応した）３つのトランスポート形式；
トランスポート・チャネルＴＣ１用の４つのトランスポート・ブロック
トランスポート・チャネルＴＣ２用の２つのトランスポート・ブロック
トランスポート・チャネルＴＣ３用の１つのトランスポート・ブロック
の組み合わせを示す。
【００３１】
考えられるトランスポート形式の組み合わせが２つだけ与えられるとき、例えば、トランスポート形式の組み合わせＴＦＣ１は（４，２，１）であり、トランスポート形式の組み合わせＴＦＣ２は（２，３，２）であり、少なくとも２つの論理チャネルＬＣ１が第一トランスポート・チャネルＴＣ１に割り当てられる。ここで、論理チャネルＬＣ１が最も高い優先度を有し、論理チャネルＬＣ２は最も低い優先度を有する。これは、残りのすべての論理チャネルが２つの極端な優先度の間の優先度を有することを意味する。更に、論理チャネルＬＣ１の現バッファ占有度（ＢＯ）はＢＯ（ＬＣ１）＝３に等しく、論理チャネルＬＣ２のそれはＢＯ（ＬＣ２）＝１に等しい。
【００３２】
トランスポート形式の組み合わせについての選択手順が、「少なくともＭ＋Ｎ個のトランスポート・ブロック」という条件を用いずに、「ちょうどＭ＋Ｎ個のトランスポート・ブロック」という条件を用いて実行され、且つ、最も優先度の高い論理チャネルＬＣ１から開始されると、トランスポート・チャネルＴＣ１用の２つのブロックのみを有するトランスポート形式が選択され、トランスポート形式の組み合わせＴＦＣ＝（２，３，２）で終了することになる。これは、２つのトランスポート・ブロックが、Ｍ＝０及びＮ＝２下で、トランスポート・チャネルＴＣ１によって送信され、３つのトランスポート・ブロックがトランスポート・チャネルＴＣ２によって送信され、２つのトランスポート・ブロックがトランスポート・チャネルＴＣ３によって送信される、ことを意味する。Ｍ＝０及びＮ＝２下では、２つのトランスポート・ブロックが論理チャネルＬＣ１から発せられ、論理チャネルＬＣ２からはトランスポート・ブロックが発せられない。なぜなら、論理チャネルＬＣ２によるブロックの追加は妥当なトランスポート形式の組み合わせを生まないからである。
【００３３】
「少なくともＭ＋Ｎ個のトランスポート・ブロック」という条件を考えると、トランスポート形式は、３以上のトランスポート・ブロック（Ｍ＝０、Ｎ＝３）の送信を許容するトランスポート形式がトランスポート・チャネルＴＣ１から選択されることになる。しかし、３を超えるトランスポート・ブロックは論理チャネルＬＣ１によって転送されることができない。以下、選択工程は、選択されたトランスポート形式の組み合わせＴＦＣ１＝（４，２，１）に従って、ここではこれ以上説明されないトランスポート・チャネルＴＣ２用の論理チャネル及びトランスポート・チャネルＴＣ３用の一トランスポート・ブロックから２つのトランスポート・ブロックを受信するものとする。最後に、この選択工程は、ＢＯ＝１を有する最後の論理チャネルＬＣ２に到着する。依然として３つのトランスポート・ブロックのみがトランスポート・チャネルＴＣ１に割り当てられるため、選択工程はトランスポート・チャネルＴＣ１用の追加的トランスポート・ブロックの追加を論理チャネルＬＣ２に許可する。これは、トランスポート形式の組み合わせＴＦＣ１が妥当なトランスポート形式の組み合わせであることを意味する。なぜなら、ここで、４つのトランスポート・ブロック（論理チャネルＬＣ１から３つ、論理チャネルＬＣ２から１つ）がトランスポート・チャネルＴＣ１に対して提示され、２つのトランスポート・ブロックがトランスポート・チャネルＴＣ２に対して提示され、１つのトランスポート・ブロックがトランスポート・チャネルＴＣ３に対して提示される。これは、最も高い優先度を有する論理チャネルからなるべく多くのトランスポート・ブロックを受信しようとする選択基準を完全に満たすため、この選択基準は、「ちょうどＭ＋Ｎ個のトランスポート・ブロック」という条件が用いられた場合には満たされない。
【００３４】
「ちょうどＭ＋Ｎ個のトランスポート・ブロック」という条件を用いると、同じトランスポート・チャネルに対して割り当てられた論理チャネルＬＣ１と論理チャネルＬＣ２との間の優先度に反転が生じ得る。例として、別のトランスポート形式の組み合わせＴＦＣ＝（２，２，１）、ＴＦＣ４＝（０，２，１）、及び、ＴＦＣ５＝（０，１，１）を仮定する。更に、バッファ占有度がＢＯ（ＬＣ１）＝１及びＢＯ（ＬＣ２）＝２であり、よってＢＯ（ＬＣ３）＝２及びＢＯ（ＬＣ４）＝１であると仮定する。「ちょうどＭ＋Ｎ個のトランスポート・ブロック」という条件を用いると、ＭＡＣレイヤは論理チャネルＬＣ１はトランスポート・ブロックを送信できないと判断する。なぜなら、Ｍ＝０及びＮ＝０を有する有効なトランスポート形式の組み合わせ（１、・・・）が無いからである。よって、トランスポート形式の組み合わせＴＦＣ４が選択され、よって最大データレートが可能となる。記録されたパケット・データ・ユニット数及び得られた論理チャネルＬＣ３及びＬＣ４のトランスポート・ブロック数は、この選択されたトランスポート形式の組み合わせにおいてはちょうど一致するため、この選択手順の間にそれ以上の変更は行われない。最後に、論理チャネルＬＣ２が選択されると、このチャネルは、２つのトランスポート・ブロックを有効とすることができ、選択されたトランスポート形式の組み合わせはトランスポート形式の組み合わせＴＦＣ３となる。これによって、最も高い優先度を有する論理チャネルＬＣ１はトランスポート・ブロックを送信することができなくなるため、最も低い優先度を有する論理チャネルＬＣ２が２つのトランスポート・ブロックを送信することができる、という事実をもたらす。その結果、予め規定された優先度は無視される。他方、「少なくともＭ＋Ｎ個のトランスポート・ブロック」という条件を用いると、論理チャネルＬＣ１及び論理チャネルＬＣ２がそれぞれトランスポート・ブロックを送信することができるという事実がもたらされるため、予め規定された優先度が考慮される。
【００３５】
一無線フレームに対して完全なトランスポート形式の組み合わせが計算されると、ＭＡＣレイヤは計算されたトランスポート・ブロックの数をＭＡＣレイヤに送信するようにＲＬＣレイヤに要求する。次いで、生成されたトランスポート・ブロック群（各トランスポート・チャネルにつき一群）が物理レイヤに送信される。次いで、物理レイヤは、受信したトランスポート・ブロック群を選択されたトランスポート形式の組み合わせに従って無線フレーム内へ挿入する。ここで、送信時間インターバルが一より多い無線フレームを含む場合、トランスポート・ブロックはセグメント化される。次の無線フレームに対する最適なトランスポート形式の組み合わせを選択する上記手順は、まず、３つの基準に従って並べ替えられたリストを作成する。図示するように、第一の基準は、ＭＡＣ優先度に応じた論理チャネルの並び替えである。複数の論理チャネルが同じ優先度を有する場合のみ、ＲＬＣレイヤにおけるバッファの大きさが考慮される。これら最初の２つのパラメータが同じであった場合、送信時間インターバルの長さが第三の基準となる。ＭＡＣレイヤの優先度及び送信時間インターバルは半静的パラメータである（通常、このパラメータはトランスポート・チャネルの再構成によってのみ変更され得る）が、バッファのサイズは無線フレーム毎に変わってもよいため、上記並び替えは以下の方法によっても同じ結果を得ることができる。
【００３６】
例えば別のトランスポート・チャネルの追加若しくは有効なトランスポート・チャネルの削除などによって起こり得るトランスポート・チャネルの再構成後、論理チャネルは、一旦、
１．  ＭＡＣ優先度（ＭＬＰ）に従って並び替え
２．  同じＭＡＣ優先度（ＭＬＰ）を有するすべての論理チャネルに対して、送信時間インターバル（ＴＴＩ）の長い順に並び替え
が為される。
【００３７】
各無線フレームの先頭において、ＭＡＣ優先度に従って並べられたリストにおいて同じ優先度を有する稼動中の論理チャネルは、次いで、バッファ占有度（バッファの長い順）のみに従って再び並び替えられる。ここで、送信時間インターバル（ＴＴＩ）の長さは無視される。この並び替えによれば、次いでＭＡＣレイヤは、個々の論理チャネルのＲＬＣバッファに送信トランスポート・ブロック数を照会し、最も都合のよい有効トランスポート形式（すなわち、最大のデータレートを可能にする形式）を選択する。このように定義された並び替えは、次いで、各無線フレームの先頭において、２つの並び替え工程を省く。
【００３８】
この並び替え方法の一例を図３乃至５に示す。図３は、同じＭＡＣレイヤ優先度を有する並び替え前のリストを表す。ここで、ＩＤとは、論理チャネルの識別番号であり、ＢＯとは、割り当てられた論理チャネルを通じて送信されるパケット・データ・ユニットのバッファ占有度であり、ＴＴＩは、割り当てられたトランスポート・チャネルの送信時間インターバルである。並び替え前のリストは、ＩＤ＝ａ，ｂ，ｃ，及びｄである４つの論理チャネルを有する。ＩＤ＝ａの論理チャネルに対しては、ＢＯ＝７及びＴＴＩ＝１０が割り当てられ、ＩＤ＝ｂの論理チャネルに対しては、ＢＯ＝３及びＴＴＩ＝４０が割り当てられ、ＩＤ＝ｃの論理チャネルに対しては、ＢＯ＝３及びＴＴＩ＝２０が割り当てられ、ＩＤ＝ｄの論理チャネルに対しては、ＢＯ＝７及びＴＴＩ＝４０が割り当てられる。図４は、送信時間インターバルＴＴＩの長い順に並び替えられたリストを示す。次いで、論理チャネルは、バッファ占有度ＢＯのサイズに従って並び替えられ、送信時間インターバルＴＴＩが破棄される。このように並び替えられたリストを図５に示す。
【００３９】
ＭＡＣレイヤにおけるトランスポート形式の組み合わせの選択手順は、以下に正式に説明される。
【００４０】
上記手順に従って並び替えられた関連無線フレームの先頭において稼動中の論理チャネルは１、・・・Ｐ１と呼ばれる。通し番号１を有する論理チャネルは、最も高い優先度Ｐを有し、通し番号Ｐ１を有する論理チャネルは最も低い優先度Ｐを有する。
【００４１】
Ｓは、考慮している端末若しくはそのサブセットの最大送信電力で実現されることが可能なデータレートをもたらすすべてのトランスポート形式の組み合わせ群である。
【００４２】
この手順は、以下のイベント・シーケンスを現無線フレームにおいて稼動中の論理チャネルに対して行う。
通し番号Ｐ＝１から開始
１．  Ｓ０をＳと等しくなるようにセットする。
２．  Ｓ０が単一のトランスポート形式の組み合わせを含む場合、このトランスポート形式の組み合わせが選択され、本手順は終了する。それ以外の場合は工程３に進む。
３．  ここで、Ｓを、通し番号Ｐを有する論理チャネルの有効データビットの最大数若しくはこの最大数以上（同じトランスポート・チャネル上にマッピングされた既に検査された論理チャネルのバッファにおけるパケット・データ・ユニットを考える）の送信を可能にする、Ｓ０におけるすべてのトランスポート形式の組み合わせ群に等しくなるようにセットする。
４．  Ｐ＝Ｐ＋１とする。
５．  Ｐ＞Ｐ１か
有益データビットの最も低い数の送信を可能にするトランスポート形式の組み合わせがＳ０において選択されると共に、現無線フレームにおいて非稼動状態のトランスポート・チャネルに既に割り当てられたトランスポート・ブロックの数が考慮される。これは、見つかったトランスポート形式の組み合わせがバッファに存在するパケット・データ・ユニットより多くのトランスポート・ブロックの送信のみを許容する場合、現在稼動中の論理チャネルは、フィルタ・パケット・データ・ユニット（すなわち、これらパケット・データ・ユニットは実際の有益なデータから展開しない）を生成しなければならないことを意味し得る。これは本手順を終了させる。それ以外の場合、工程１に戻る。
【００４３】
以下は本手順の一例である。
【００４４】
（ＭＡＣ優先度ＭＬＰが低い順に）４つの論理チャネルＬＣ１、ＬＣ２、ＬＣ３、及びＬＣ４が与えられるものと仮定する。論理チャネルＬＣ１及びＬＣ３は、同じトランスポート・チャネルＴＣ１（送信時間インターバルＴＴＩ＝１０ｍｓ）であり、論理チャネルＬＣ２はＴＣ２（送信時間インターバルＴＴＩ２＝２０ｍｓ）であり、論理チャネルＬＣ４はＴＣ３（送信時間インターバルＴＴＩ３＝４０ｍｓ）であるものと仮定する。トランスポート・チャネル用トランスポート形式は、予め定められた長さのビット・ブロック数として与えられるものと仮定する。トランスポート・チャネルのビット・ブロックは、それぞれ異なってもよい。
【００４５】
トランスポート・チャネルＴＣ１のトランスポート形式群ＴＦ１は、ＴＦ１＝｛０，１，２，３，４｝であり、トランスポート・チャネルＴＣ２のトランスポート形式群ＴＦ２はＴＦ２＝｛０，１，２｝であり、トランスポート・チャネルＴＣ３のそれはＴＦ３＝｛０，１｝であるものと仮定する。得られた生成物群は、考えられるすべてのトランスポート形式の組み合わせ群を表す。
【００４６】
更に、考えられるトランスポート形式の組み合わせ群として、生成物群の以下のサブセットのみが予め規定されるものと仮定する。
【００４７】
【数１】
0004014854.tif 000002
ここで、（２，０，０）、（２，０，１）、（２，１，０）、（２，１，１）、（２，２，０）、及び（２，２，１）が欠けている。ＴＦＣ＋＿ＳＴＡＲＴに含まれる形式の組み合わせは最大データレートでサポートされ得るデータレートをもたらすものと仮定する。
【００４８】
無線フレームＲＦ１を３つの異なる送信時間インターバルＴＴＩ１、ＴＴＩ２、及びＴＴＩ３が開始する無線フレームとする。この無線フレームでは、３つのトランスポート・チャネルすべてが稼動中である。関連する論理チャネルのバッファの占有度ＢＯは、この無線フレームの先頭において、
【００４９】
【数２】
0004014854.tif 000003
であるものと仮定する。ここで、本手順は、論理チャネルを先頭から照会する。論理チャネルＬＣ１の検査は、考えられるトランスポート形式の組み合わせ群を減らす。
【００５０】
【数３】
0004014854.tif 000004
ここで、例えば、形式の組み合わせ：（１，０，０）、（１，０，１）、（１，１，０）、（１，１，１）、（１，２，０）、（１，２，１）は、論理チャネルＬＣ１の有効データビットの最大数を送信することを可能にする（２つのトランスポート・ブロックが有効であることは真実であるが、２つのトランスポート・ブロックをＴＣ１上で送信することを可能にする形式の組み合わせは存在しない）ため、残りの形式の組み合わせはこの有効データビットの最大数よりも多くを送信することができる。
【００５１】
論理チャネルＬＣ２の検査は、更に削減された考えられるトランスポート形式の組み合わせ群を生成する。
【００５２】
【数４】
0004014854.tif 000005
なぜなら、ちょうど１つの、又は、１より大きい、すなわち２つのトランスポート・ブロックがトランスポート・チャネルＴＣ２を通じて送信され得るからである。
【００５３】
論理チャネルＬＣ３の検査は、更に削減された考えられるトランスポート形式の組み合わせ群を生成する。
【００５４】
【数５】
0004014854.tif 000006
なぜなら、論理チャネルＬＣ３の一トランスポート・ブロック若しくはこれよりも多いトランスポート・ブロックが論理チャネルＣ１の２つのトランスポート・ブロックと共に送信され得るからである。
【００５５】
最後に、論理チャネルＬＣ４の検査は、更に削減された組み合わせ群：
【００５６】
【数６】
0004014854.tif 000007
を生成する。
【００５７】
トランスポート形式の組み合わせ（３，１，１）は、これら４つの組み合わせのうちで最も低い有益データレートを決定し、よって中止基準を満たす。
【００５８】
次の無線フレームＲＦ２においては、トランスポート・チャネルＴＣ１のみが稼動中である。すなわち、論理チャネルＬＣ１及びＬＣ３のみが稼動中であり、検査される。この場合のバッファ占有度を
【００５９】
【数７】
0004014854.tif 000008
と与える。
【００６０】
論理チャネルＬＣ１の検査は、削減された、ＴＦＣ＿ＳＴＡＲＴから考えられるトランスポート形式の組み合わせ群を生成する。
【００６１】
【数８】
0004014854.tif 000009
論理チャネルＬＣ３の検査は、同一の考えられるトランスポート形式の組み合わせ群を生成する。
【００６２】
【数９】
0004014854.tif 000010
前の無線フレームＲＦ１において送信割当されたＴＣ２及びＴＣ３用の個別の一トランスポート・ブロックが考慮される場合、中止条件は形式の組み合わせ（１，１，１）をもたらす。得られたデータレートが、同時に、考えられるすべてのトランスポート形式の組み合わせのうちの最低である場合、この形式の組み合わせのみがトランスポート・チャネルＴＣ２及びＴＣ３に既に割り当てられたトランスポート・ブロック（若しくはセグメント）の送信を可能にする。形式の組み合わせ（１，１，１）がＴＦＣ＿ＳＴＡＲＴに含まれないとすると、トランスポート形式の組み合わせ（３，１，１）が代わりに選択されなければならないため、論理チャネルＬＣ１は２つのパケット・データ・ユニットを送信することができ、論理チャネルＬＣ１（若しくはＬＣ３）は有益データを伝送しないフィルタ・パケット・データ・ユニットを生成しなければならない。
【００６３】
【発明の効果】
本発明によれば、トランスポート・ブロックの送信を決定する適切なトランスポート形式の組み合わせを見つけるための選択工程を示すワイヤレス・ネットワークを提供することができる。
【図面の簡単な説明】
【図１】無線ネットワーク制御局と複数の端末とを有するワイヤレス・ネットワークを示す図である。
【図２】端末若しくは無線ネットワーク制御局の様々な機能を説明するためのレイヤ・モデルを示す図である。
【図３】本発明に係る並び替え方法を説明するためのリストを示す図である。
【図４】本発明に係る並び替え方法を説明するためのリストを示す図である。
【図５】本発明に係る並び替え方法を説明するためのリストを示す図である。
【符号の説明】
１  無線ネットワーク制御局
２〜９  端末
１０、１１  制御リンク
１２  トランスポート・リンク
１３  論理コネクション
１４  アクセス・ポイント
【図１】
0004014854.tif 000011
【図２】
0004014854.tif 000012
【図３】
0004014854.tif 000013
【図４】
0004014854.tif 000014
【図５】
0004014854.tif 000015